(57)【要約】【課題】何れの機器のいかなる可動部位においても、可動部位を通常位置から不正に移動する行為があった場合に、最適な状態で確実にその瞬間を撮影する。【解決手段】パチンコ機１は、閉成位置から開成位置へ移動可能な大入賞装置１４の開閉扉１２を備えている。また、開閉扉１２やその周りにおける不正行為者を撮像可能なＣＣＤユニット６を、パチンコ機１の上部に備えている。更に、ＩＣタグ２０が、開閉扉１２の正面に固定されている。また更に、アンテナ３２が、開閉扉１２正面側において、ＩＣタグ２０に対し所定距離内で対峙するように固定されている。そして、閉成位置に対応するＩＣタグ２０およびアンテナ３２の間において無線通信を繰返して監視するＲ／Ｗユニット４２が設けられている。Ｒ／Ｗユニット４２は、通信不能等の通信異常の際には、ＣＣＤユニット６に撮像を指令する。【選択図】  図７
2004290376.tif 000002
【特許請求の範囲】
【請求項１】
通常位置から移動可能な可動部材と、
可動部材あるいはその近傍の何れかにおいて設けられ、互いに所定距離内にありかつ対峙する場合にＲＦＩＤ通信可能なＩＣタグおよびアンテナと、
所定の範囲を撮像可能な撮像ユニットと、
アンテナを介してＩＣタグとのＲＦＩＤ通信を実行するとともに、ＲＦＩＤ通信が異常である場合に撮像ユニットに撮像を指令する監視ユニットとを備え、
前記可動部材が通常位置である場合に、前記ＩＣタグとアンテナとが互いに所定距離内にありかつ対峙するようにした
ことを特徴とする監視システム。
【請求項２】
撮像ユニットが、可動部材またはその近傍を撮像可能であることを特徴とする請求項１に記載の監視システム。
【請求項３】
監視ユニットが、ＲＦＩＤ通信を繰返し実行することを特徴とする請求項１または請求項２に記載の監視システム。
【請求項４】
請求項１ないし請求項３に記載の監視システムを備えたことを特徴とする遊技機。
【発明の詳細な説明】
【０００１】
【発明の属する技術分野】
本発明は、可動部材を通常位置からずらす不正行為を監視するシステム、および本システムを備えたパチンコ機やスロットマシーン等の遊技機に関する。
【０００２】
【従来の技術】
パチンコ店の防犯システムとして、以下に示す特許文献１に開示されるものが知られている。特許文献１のものでは、台間玉貸し機にパチンコ機の周辺を撮像する撮像手段が設けられており、パチンコ機が、遊技時には通常位置として閉塞状態にある裏側や前面ガラスに関し、次に示す不正行為の検出をしてその旨を出力した場合に、撮像手段を動作させるようになっている。
パチンコ機の島設備に対する開放の検出スイッチによる検出（００２１段落６〜１０行目）
パチンコ機の前面ガラスの開放の検出スイッチによる検出（００２２段落１〜５行目）
【０００３】
【特許文献１】
特開平１０−２６３１８１号公報
【０００４】
【発明が解決しようとする課題】
以上のような防犯システムでは、検出スイッチの具体的な提案がなく、よく知られた機械的なスイッチでは設置箇所が限られてしまうし、前面ガラス等が緩んだ場合でも、検出スイッチの検出がなされて、防犯システムが作動してしまう。また、パチンコ機の入替時、上記検出を伝える信号の形式が異なると、同一の防犯システムでは撮像できなくなってしまう。
【０００５】
そこで、請求項１に記載の発明は、何れの機器のどのような可動部位においても、可動部位を通常位置から不正に移動する行為があった場合に、最適な状態で確実にその瞬間を撮影することができる監視システムを提供することを目的としたものである。
【０００６】
【課題を解決するための手段】
上記目的を達成するために、請求項１に記載の発明は、通常位置から移動可能な可動部材と、可動部材あるいはその近傍の何れかにおいて設けられ、互いに所定距離内にありかつ対峙する場合にＲＦＩＤ通信可能なＩＣタグおよびアンテナと、所定の範囲を撮像可能な撮像ユニットと、アンテナを介してＩＣタグとのＲＦＩＤ通信を実行するとともに、ＲＦＩＤ通信が異常である場合に撮像ユニットに撮像を指令する監視ユニットとを備え、前記可動部材が通常位置である場合に、前記ＩＣタグとアンテナとが互いに所定距離内にありかつ対峙するようにしたことを特徴とするものである。
【０００７】
請求項２に記載の発明は、上記目的に加えて、撮像範囲を可動部材に直接対応するものとする目的を達成するため、上記発明において、撮像ユニットが、可動部材またはその近傍を撮像可能であることを特徴とする。
【０００８】
請求項３に記載の発明は、上記目的に加えて、不正行為の瞬間そのものに撮像する目的を達成するため、上記発明において、監視ユニットが、ＲＦＩＤ通信を繰返し実行することを特徴とする。
【０００９】
請求項４に記載の発明は、上記目的に加えて、重要な部材が閉塞されることのの多い遊技機において効果的に監視をする目的を達成するため、遊技機に上記監視システムを搭載したものである。
【００１０】
なお、可動部材には、機器により作動されるものの他、メンテナンス等のために人為的に動かされる（外される）もの等が含まれる。また、可動部材の近傍には、ＩＣタグまたはアンテナの近傍が含まれる。更に、可動部材の近傍は別の可動部材であって良く、ＩＣタグとアンテナとが同一のあるいは別の可動部材に設けられて良い。加えて「所定距離内」には「所定の距離の範囲内」を含み、即ち特定距離より近い場合にも通信異常となるようにする事項を含む。また、可動部材には、その一部が可動するもの、即ち可動部位を有する部材が含まれる。
【００１１】
【発明の実施の形態】
以下、本発明の実施形態に係る監視システムを備えたパチンコ機について、次に示す目次の順序に従い説明する。
（１）パチンコ機の大要
（２）パチンコ機の外的側面
（３）パチンコ機の内的側面
（４）パチンコ機の動作内容
（５）パチンコ機の特徴部分の説明
（６）パチンコ機が奏する効果
（７）主に上記パチンコ機を変更してなる本発明の実施形態の例示
【００１２】
（１）パチンコ機の大要
本発明の実施形態に係るパチンコ機（遊技機）にあっては、比較的に厳しい条件を満たした場合に開成する大入賞装置を、遊技盤において有する。大入賞装置は、開閉扉（可動部材）を前方へ開くことで開成し、上記条件を満たしていない場合は閉成している。従って、開閉扉は、閉成位置が通常位置である。また、大入賞装置は、開成時に入賞してきた遊技球を導く通路と、その通路に設置された遊技球センサを備えている。パチンコ機は、当該遊技球センサにより検出された遊技球毎に所定数の遊技球を遊技者に提供する。
【００１３】
この開閉扉とその近傍に、リーダ／ライタユニット（Ｒ／Ｗユニット、監視ユニット）の指令に基づいて頻繁にＲＦＩＤ通信（識別情報付無線通信）し合うＩＣタグとアンテナとを、開閉扉による閉成時に互いに対峙するように設置する。上記ＲＦＩＤ通信は、指向性と出力の調整により、ＩＣタグとアンテナとが所定距離で対峙している場合に限り正常に行われる。
【００１４】
そして、大入賞装置の開閉扉が開き、ＩＣタグとアンテナとが対峙しなくなって、上記ＲＦＩＤ通信が異常となった場合には、Ｒ／Ｗユニットによりこれを検知し、ＣＣＤユニット（撮像ユニット）に大入賞装置付近を撮像させる。なお、大入賞装置の開閉扉が引離された場合も上記ＲＦＩＤ通信が異常となる。また、上記条件に基づく大入賞装置の正規開成中である場合には撮像しないようにすることも可能である。
【００１５】
（２）パチンコ機の外的側面
図１は本発明の実施形態に係るパチンコ機１の正面図であり、図２は図１の中央部の拡大図であり、図３（ａ）は図２のＡ−Ａ線における断面図である。パチンコ機１は、上半部に、２枚の透明板２を保持する前枠３を備えており、前枠３上部の上ランプカバー４の内側に、下方に向いたＣＣＤ５（撮像素子）を有するＣＣＤユニット６が設けられている。
【００１６】
また、パチンコ機１は、下半部に、遊技球を載せる上皿７および下皿８を有する。
【００１７】
更に、パチンコ機１は、前枠３の背面側に、図柄始動口９を始めとする各種入賞口、図柄表示装置１０、図示しない釘や風車等を搭載する遊技盤１１を備えている。遊技盤１１の下部には、下辺を軸にして開閉する開閉扉１２を有する大入賞装置１４が設置されている。大入賞装置１４は、開閉扉１２の背面側から下方へ延びる遊技球の通路１６、および、通路１６の内周部に設けられる遊技球センサ１８を備えている。なお、ＣＣＤ５は、大入賞装置１４の正面側周辺を上から撮像する向きとされている。また、遊技球センサ１８は、開閉扉１２の閉成により、不正アクセスから保護される。更に、正面側の透明板２の背面であって、大入賞装置１４の正面側を含む下部には、遮蔽板１９が設けられている。
【００１８】
加えて、大入賞装置１４における開閉扉１２の正面には、小片状（薄板状、扁平状、長方形状）のＩＣタグ２０が貼付されている。図４はＩＣタグ２０の正面図である。ＩＣタグ２０は、ポリエステル（合成樹脂）製のフレキシブルなプリント基板２１と、プリント基板２１内に形成された渦巻状の送受信回路２２と、送受信回路２２に電気的に接続されたＩＣチップ２３を有する。
【００１９】
一方、背面側の透明板２の正面上であって、ＩＣタグ２０に対峙する部分には、図５に示すような、周縁に渦巻状の送受信回路３０を配線した基板３１を主要部とするアンテナ３２が固定されている。アンテナ３２の送受信回路３０には、導線３３が電気的に接続されている。また、アンテナ３２は、基板３１の各角において吸盤３４を備えており、透明板２に吸着することで固定される。なお、遮蔽板１９は、遊技盤１１を正面から見た場合において、大入賞装置１４、ＩＣタグ２０あるいはアンテナ３２を目立たないようにする。
【００２０】
図６はパチンコ機１の背面図である。パチンコ機１の背面側部には、島設備からの遊技球を上皿７または下皿８へ払出す払出装置３６が設置されている。また、パチンコ機１の背面下部には、パチンコ機１の動作内容を制御する主制御装置３８がカバー付で設置されている。
【００２１】
更に、パチンコ機１の背面中央には、図柄表示装置１０の背面側を覆うセンターカバー４０が設置されており、センターカバー４０の内側には、各種制御素子を搭載した基板であるＲ／Ｗユニット４２が組込まれている。Ｒ／Ｗユニット４２は、ＣＣＤユニット６、ＩＣタグ２０、およびアンテナ３２と通信可能であるよう電気的に接続されている。なお、ＩＣタグ２０とアンテナ３２とは、物理的には離れている。
【００２２】
（３）パチンコ機の内的側面
図７はＣＣＤユニット６、ＩＣタグ２０、アンテナ３２、主制御装置３８およびＲ／Ｗユニット４２のブロック図である。ＣＣＤユニット６は、ＣＣＤ５において撮影した画像を記憶するメモリ５０（情報の格納手段）と、これらを制御するＭＰＵ５２（撮像制御手段）とを備える。
【００２３】
ＩＣタグ２０は、ＩＣチップ２３内に、パチンコ機１（ＩＣタグ２０）固有の識別情報（ＩＤ）６０等を格納したＥＥＰＲＯＭ６１を有するとともに、送受信回路２２に電気的に接続されたＲＦ回路６２（無線制御回路、Ｒａｄｉｏ  Ｆｒｅｑｕｅｎｃｙ）を含んでいる。
【００２４】
Ｒ／Ｗユニット４２は、ＩＣタグ２０のものと同様になるＲＦ回路７２と、プログラムを格納するＲＯＭ７４、一時記憶をするＲＡＭ７６、およびＩＤ６０と同様のＩＤ７７等の各種設定値を保存するＥＥＰＲＯＭ７８と、外部とのインターフェイス８０と、ＲＯＭ７４のプログラムを読出してこれらの制御をするＣＰＵ８２とを有する。
【００２５】
ＣＣＤユニット６のＭＰＵ５２は、インターフェイス８０と電気的に接続されている。ＭＰＵ５２は、所定の信号（撮像信号８６）を受信すると、ＣＣＤ５から画像を取得し、メモリ５０に保持する。
【００２６】
なお、パチンコ機１の主制御装置３８も、インターフェイス８０と電気的に接続されている。また、主制御装置３８は、大入賞装置１４に係る開閉扉１２付近の図示しないソレノイドや遊技球センサ１８、および払出装置３６と電気的に接続されている。払出装置３６は、主制御装置３８の指令に基づいて、図柄始動口９への遊技球の入賞といった所定の払出条件を満たす毎に、所定数の遊技球を払出す。
【００２７】
パチンコ機１は、主制御装置３８により、遊技球の図柄始動口９への入賞に基づいて、１／３５９といった確率における抽選を実行し、当選と判断して始めて、大入賞装置１４を所定期間または遊技球の所定個数（十個前後）の入賞まで開成する（図３（ｂ））。なお、抽選の結果等は、図柄表示装置１０において表示される。
【００２８】
主制御装置３８は、大入賞装置１４の開成にあたり、開閉扉１２の近傍に設けたソレノイドに電圧を付与し、開閉扉１２を開けるとともに、Ｒ／Ｗユニット４２へ所定の信号（大入賞装置開成信号８８）を送信する。また、主制御装置３８は、所定期間後における大入賞装置１４の閉成にあたり、上記ソレノイドへの電圧付与を停止し、開閉扉１２を閉めて遊技球センサ１８を閉塞するとともに、Ｒ／Ｗユニット４２へ所定の信号（大入賞装置閉成信号８９）を送信する。
【００２９】
また、主制御装置３８は、大入賞装置１４の遊技球センサ１８から検知信号を受信すると、払出条件が満たされたものとして、所定個数（十数個）の遊技球の払出を払出装置３６に指令する。通常、大入賞装置１４の開成時のみにおいて、遊技球が開閉扉１２を経て通路１６を通過し、遊技球センサ１８に検知される。
【００３０】
なお、パチンコ機１においては、大入賞装置１４内の特定のゾーンを遊技球が通過したことを検知して、再び大入賞装置１４を開成し、所定上限内（数回から十数回）においてこれを繰返す（特別遊技状態）。パチンコ機１は、特別遊技状態を生起することで、他の状態に比較して多数の遊技球の払出を提供でき、特別遊技状態は遊技者にとって有利となる。
【００３１】
また、抽選に当選して大入賞装置１４が開成するので、開閉扉１２の通常位置は閉成状態におけるものとなる。
【００３２】
他方、ＩＣタグ２０のＲＦ回路６２は、送受信回路２２、アンテナ３２の送受信回路３０を介して、Ｒ／Ｗユニット４２のＲＦ回路７２とＲＦＩＤ通信可能である。ＲＦ回路６２は、所定の無線信号（呼出波９２）を送受信回路２２において受信すると、ＥＥＰＲＯＭ６１において記憶しているＩＤ６０を含む反射波９４を、ＩＣチップ２３を介して作成し、送受信回路２２から無線信号として送信する。
【００３３】
アンテナ３２の導線３３は、Ｒ／Ｗユニット４２へ延びて、ＲＦ回路７２に接続される。アンテナ３２の送受信回路３０が所定の無線信号（反射波９４）を受け、これが導線３３における有線信号（反射信号９５）となってＲ／Ｗユニット４２に達すると、ＲＦ回路７２は、ＣＰＵ８２を介してＥＥＰＲＯＭ７８において記憶しているＩＤ７７を含む呼出信号９６を作成し、導線３３を介してアンテナ３２へ送信する。アンテナ３２は、呼出信号９６を受信すると、送受信回路３０において呼出波９２を発生する。
【００３４】
Ｒ／Ｗユニット４２のＣＰＵ８２は、電源投入直後に、ＲＦ回路７２を通じて呼出信号９６をアンテナ３２に送信する。また、ＣＰＵ８２は、呼出信号９６の送信後、所定時間（数十ミリ秒）以内に、ＲＦ回路７２における反射信号９５の受信があると、反射信号９５内のＩＤ６０とＥＥＰＲＯＭ７８内のＩＤ７７とを比較し、一致すれば再び呼出信号９６の送信を行う。そして、ＣＰＵ８２は、通常、このような動作を繰返す。
【００３５】
一方、Ｒ／Ｗユニット４２のＣＰＵ８２は、ＲＦ回路７２における反射信号９５の受信が所定時間内になされていないことを判断した場合、インターフェイス８０を介して撮像信号８６を送信する。ただし、大入賞装置閉成信号８９に対応しない大入賞装置開成信号８８を受信しているときは、撮像信号８６を送信しない。ＣＰＵ８２は、大入賞装置開成信号８８を受信した場合に、ＲＡＭ７６内の専用のフラグをＯＮとし、大入賞装置閉成信号８９を受信した場合に、当該フラグをＯＦＦとし、撮像信号８６の送信の判断に利用する。また、ＣＰＵ８２がＩＤ６０とＩＤ７７とが不一致であると判断した場合には、その時点で撮像信号８６を送信する。
【００３６】
なお、ＣＣＤユニット６およびＲ／Ｗユニット４２は、パチンコ機１に係る島設備から電源を得る。ＩＣタグ２０は、呼出波９２に含まれた搬送波部分をＲＦ回路６２において整流することで、直流電圧を得ることができ、これによって動作可能である。アンテナ３２は、送受信回路３２において無線信号を有線信号に変換して出力するものであり、これ自体の電源は不要である。
【００３７】
また、呼出波９２や反射波９４は、信号を十分に保持した状態での搬送距離が２５〜３０ｍｍとなるように搬送波ないし出力等を調整されている。呼出波９２や反射波９４は、例えば１３．５６ＭＨｚといった周波数においてＲＦ送受信され、ノイズの影響が比較的に極めて少ない。更に、呼出波９２や反射波９４は、指向性を有する。
【００３８】
（４）パチンコ機の動作内容
Ｒ／Ｗユニット４２は、パチンコ機１の状態に関わらず、アンテナ３２から呼出波９２を送信させる。ＩＣタグ２０は、呼出波９２を受信すると、すぐに、ＩＤ６０付の反射波９４を送信する。アンテナ３２がこの反射波９４を受信して反射信号９５を発生し、Ｒ／Ｗユニット４２が所定時間以内において反射信号９５を受信すると、ＩＤ６０とＩＤ７７とを比較し、一致していればすぐに呼出波９２の送信を指令する。
【００３９】
大入賞装置１４が閉成していて通常位置にあれば、ＩＣタグ２０やアンテナ３２は所定距離においてほぼ平行に対峙しており、指向性を有する呼出波９２や反射波９４はＩＣタグ２０やアンテナ３２に受信され、ＩＣタグ２０−アンテナ３２間のＲＦ送受信が短時間毎に周期的に行われる。
【００４０】
一方、大入賞装置１４が開成していると、図３（ｂ）に示すようにＩＣタグ２０が下に向き、ＩＣタグ２０とアンテナ３２とがほぼ平行に対峙しなくなるので、指向性のある呼出波９２がＩＣタグ２０において受信されず、あるいは指向性のある反射波９４がアンテナ３２において受信されない。よって、Ｒ／Ｗユニット４２は、所定時間内に反射波９４に係る反射信号９５を受信できない。
【００４１】
このとき、Ｒ／Ｗユニット４２は、大入賞装置開成信号８８等に係るフラグを参照し、フラグがＯＮであれば、撮像信号８６の送信処理を行わない。当該フラグは、特別遊技状態の生起（パチンコ機１の抽選処理）に基づく大入賞装置１４の開成中にＯＮとなるので、正規の大入賞装置１４の開成（正規の可動）に対し、撮像信号８６を送信することがない。
【００４２】
一方、更にフラグがＯＦＦであった場合には、主制御装置３８から大入賞装置１４の開成指令がなかったにも関わらず、ＩＣタグ２０とアンテナ３２とが呼出波９２や反射波９４を送受信できない関係になったことになる。送受信不能の関係となるには、図３（ｂ）のように開閉扉１２が開いてＩＣタグ２０とアンテナ３２とが対峙しなくなるか、ＩＣタグ２０がアンテナ３２から離されるかが必要になるから、この場合には、パチンコ機１の抽選に基づかずに、不正に大入賞装置１４を開成されたか、不正に開閉扉１２を外された可能性が高い。なお、アンテナ３２は、各透明板２の間に設置されるため、アクセスしづらく、不用意に大入賞装置１４周辺から離されることはない。
【００４３】
この場合、Ｒ／Ｗユニット４２は、ＣＣＤユニット６に対して撮像信号８６を送信する。これを受信したＣＣＤユニット６は、大入賞装置１４付近について上方から捉えた画像を撮影し、記憶する。従って、不正遊技者が、不正に遊技球の払出を得ようとして、遊技球センサ１８（保護物）に不正にアクセスすべく、パチンコ機１の大入賞装置１４をこじ開けた瞬間、ＣＣＤユニット６がその行為を撮像し、これを保持するものである。
【００４４】
他方、Ｒ／Ｗユニット４２は、反射波９４に係る反射信号９５を受信できたとしても、その内のＩＤ６０がＩＤ７７と異なると、大入賞装置開成信号８８等に係るフラグに関わらず、撮像信号８６を送信し、ＣＣＤユニット６において画像を取得する。ＩＤ６０，７７の相違する瞬間は、ＩＤ６０，７７の不正書換かまたはＩＣタグ２０またはＲ／Ｗユニット４２の不正交換（不正改造）がなされた瞬間に対応する可能性が高く、この瞬間が撮像される。なお、これら不正改造は、不正遊技者により、遊技球センサ１８の閉塞を検知されずに解除する目的で行われる。またこの場合、ＩＤ６０，７７は相違しても送受信はできているので、Ｒ／Ｗユニット４２は当該送受信を継続する。
【００４５】
（５）パチンコ機の特徴部分の説明
即ち、パチンコ機１は、閉成位置から開成位置へ移動可能な大入賞装置１４の開閉扉１２を備えている。また、開閉扉１２やその周りにおける不正行為者を撮像可能なＣＣＤユニット６を、パチンコ機１の上部に備えている。
【００４６】
更に、ＩＣタグ２０が、開閉扉１２の正面に固定されている。また更に、アンテナ３２が、開閉扉１２の正面側において、ＩＣタグ２０に対し所定距離内にありかつ対峙するように固定されている。
【００４７】
そして、ＩＣタグ２０およびアンテナ３２と電気的に接続され、これらの間においてＲＦＩＤ通信を繰返して監視するＲ／Ｗユニット４２が設けられている。Ｒ／Ｗユニット４２は、ＣＣＤユニット６とも電気的に接続されており、通信不能等の通信異常の際には、ＣＣＤユニット６に撮像を指令する。
【００４８】
従って、パチンコ機１においては、開閉扉１２が閉成されている限り、ＩＣタグ２０とアンテナ３２とが所定距離内で対峙して、短時間毎のＲＦＩＤ通信が正常に行われ、ＣＣＤユニット６の撮像には至らない。一方、開閉扉１２が器具により不正に開成されまたは外されると、ＩＣタグ２０とアンテナ３２とが所定距離外となるかまたは対峙しないこととなるから、ＲＦＩＤ通信が途絶え、その瞬間にＣＣＤユニット６の撮像が行われる。
【００４９】
（６）パチンコ機が奏する効果
以上のパチンコ機１では、上記のような特徴を備えるので、ＩＣタグ２０がアンテナ３２に対し所定距離外となるかまたは対峙しなくなった瞬間に、即ち大入賞装置１４の開閉扉１２が通常位置から動かされた瞬間に、ＣＣＤユニット６（ＣＣＤ５）による撮像が行われ、遊技球センサ１８のアクセスに直結する、開閉扉の開成という不正行為があった瞬間を含む場合にのみ、不正行為そのものを撮像をすることができる。
【００５０】
また特に、ＩＣタグ２０とアンテナ３２とがＲＦ通信を行なうために設置箇所が限定されないし、通信を繰返し行うために不正行為の瞬間を撮像することができるし、距離範囲外あるいは指向外となることによるＲＦＩＤ通信の断絶をもって閉塞の解除を電気的に検知するために取付精度等に依らず信頼性の高い撮像を行うことができるし、ＩＤ通信によりＩＤが不一致であっても通信異常として撮像をするために、正規のＩＣタグ２０を不正に製造元から入手したもの等に張替える不正行為や、ＩＣタグ２０ないしＲ／Ｗユニット４２を装着したまま改造する不正行為等についても、その瞬間を含んで的確に撮像することができる。
【００５１】
また、ＣＣＤユニット６がパチンコ機１に設置されているので、島設備に対しパチンコ機１を入替えても格別な手間を要せずに撮像環境を提供することができる。なお、ＣＣＤユニット６等の存在あるいは不正行為時に撮像を行う旨をアピールすれば、不正行為を抑止することができる。
【００５２】
なお、開閉扉１２の近傍に設置されるアンテナ３２が、透明板２の間に設置され、閉塞されるので、開閉扉１２ないし遊技球センサ１８に直接関係のないアンテナ３２が引離される等して撮影されてしまう事態を防止することができる。また、アンテナ３２が、吸盤３４によって吸着されるため、設置し易く、位置調整し易い。更に、ＩＣタグ２０やアンテナ３２等について正面の遊技者の直視を遮る遮蔽板１９が設けられているため、ＩＣタグ２０やアンテナ３２等を設置しても、遊技盤２のデザインを乱さないし、その存在を一般の遊技者が気にしなくて済む。
【００５３】
（７）主に上記パチンコ機を変更してなる本発明の実施形態の例示
主に上記形態を変更してなる、本発明の他の実施形態を、それぞれ例示する。ＩＣタグやアンテナにおける送受信回路のパターンを変えたり、Ｒ／Ｗユニットが直接ＣＣＤを制御するようにしたり、アンテナにＲＦ回路等を組込んだり、ＲＦＩＤ通信の各周波数や各指向性の強弱を増減したり、遮蔽板を省略したりする等、適宜各種部材の形状、数量、材質、電気的構成、設定条件、取付態様等を変更する。
【００５４】
撮像する画像を、通信異常となった瞬間を含む動画、または静止画および動画とする。撮像ユニットを、遊技盤、あるいはこれに搭載された、図柄表示装置を始めとする部材に付設する。この場合には、不正行為者の顔面をほぼ正面から捉えた画像を含む撮影、あるいは大入賞装置の開閉扉により近い位置での撮影等、目的に添った撮像を行える。
【００５５】
監視ユニットにおいて、主制御装置の大入賞装置開成信号等を受信せず、通信が異常となった場合には常に撮像をするようにする。または、大入賞装置開成信号等を撮像ユニットにおいて受信し、撮像ユニットにおいて、大入賞装置の正規開成時に撮像を中止したり、取得した画像に識別符号を付して格納し、画像チェック時に判別できるようにしたりする。
【００５６】
呼出波が異常に関する情報（エラー情報）を（異常発生時において）含むようにし、ＩＣタグにおいてこれを受信し記憶するようにする。あるいは通信がエラー情報を（異常発生時において）含むようにし、これを受信側で記憶するようにする。エラー情報と撮像された画像とをチェックすると、不正行為に関する情報の種類や量が増え、一層的確に不正行為を監視することができる。
【００５７】
通信において、ＩＤを含まず、互いに受信があったことのみをもって送信をするようにする。またはアンテナからの呼出波においてＩＤを含むようにし、ＩＣタグ側でＩＤをチェックするか、双方にＩＤを含ませてこれをチェックするようにする。ＩＤにつきワンタイムパスワードを用いて暗号化し、受信側で復号してチェックする。あるいは送信に公開鍵を含ませ、受信側に当該公開鍵に対応する秘密鍵を保有させ、これらの鍵の対応をもって通信をチェックする。
【００５８】
通信について、ＩＤが相違する場合にすぐに停止したり、ＩＤが所定回相違すると通信異常であると判断したり、ＩＤが相違する期間だけ撮像をしたり、特定のＩＤ相違による通信異常時のみ撮影するようにしたりする。
【００５９】
可動部材を主制御装置のカバーとし、カバーが主制御装置の基板（ＲＯＭ等を搭載する）を（アクセス不能に）覆う位置を通常位置とする。この場合、撮像ユニットはパチンコ機の背面側に設ける。このようにすれば、ＲＯＭ不正交換を始めとする主制御装置の不正アクセスの発見あるいは抑止が可能となる。また、可動部材を、スロットマシーンを始めとする他の遊技機に係るものにする。更に、可動部材を、他の機器における所定の動作内容を指令する制御素子（基板）を覆うカバーとする。加えて、特に保護物を設けず、位置をずらすことを不正行為とみなして可動部材を監視することもできる。
【００６０】
一方、制御素子（基板）を固定するためのベース部材と、当該ベース部材に固定された制御素子を外部から遮断（閉塞）するカバー部材とからケースを構成し、ベース部材もしくはカバー部材に、ＩＣタグもしくはアンテナを設ける。他方、ＩＣタグとアンテナの設置箇所を入替えたものとしたり、ＩＣタグを対の可動部材の一方に設けるとともにアンテナを他方に設けたりする。
【００６１】
【発明の効果】
本発明によれば、可動部材またはその近傍に、ＲＦＩＤ通信を繰返し行うＩＣタグおよびアンテナを設置し、可動部材が通常位置から動いて通信異常となった場合に撮像を実行するようにしている。よって、いかなる機器の可動部位においても、通常位置から不正に移動する行為を、その瞬間を確実に含む状態で撮影することができる監視システムを提供することができる、という効果を奏する。
【図面の簡単な説明】
【図１】本発明に係るパチンコ機の正面図である。
【図２】図１におけるパチンコ機の中央部拡大図である。
【図３】（ａ）図２におけるＡ−Ａ線の断面図である。
（ｂ）図３（ａ）において大入賞装置の開閉扉を開成した場合の図である。
【図４】図１におけるパチンコ機に係るＩＣタグの正面図である。
【図５】図１におけるパチンコ機に係るアンテナの正面図である。
【図６】図１におけるパチンコ機の背面図である。
【図７】図１におけるパチンコ機に係る内部構成の一部を示すブロック図である。
【符号の説明】
１・・パチンコ機、５・・ＣＣＤ、６・・ＣＣＤユニット（撮像ユニット）、１２・・開閉扉（可動部材）、１４・・大入賞装置、１８・・遊技球センサ、２０・・ＩＣタグ、３２・・アンテナ、４２・・Ｒ／Ｗユニット（監視ユニット）、８６・・撮像信号、９２・・呼出波（ＲＦＩＤ通信）、９４・・反射波（ＲＦＩＤ通信）。
【図１】
2004290376.tif 000003
【図２】
2004290376.tif 000004
【図３】
2004290376.tif 000005
【図４】
2004290376.tif 000006
【図５】
2004290376.tif 000007
【図６】
2004290376.tif 000008
【図７】
2004290376.tif 000009